(57)【特許請求の範囲】
【請求項１】
仮設足場の拡幅または狭幅を行うために、架設足場の支柱に取付可能な足場用ブラケットであって、
前記支柱との係止機構を一端に備えた、横材と、
前記支柱との係止機構を一端に備えた、斜材と、
前記横材の他端と前記斜材の他端とを直接的または間接的に脱着自在に構成した、脱着手段と、
を少なくとも有し、
前記脱着手段が、
前記横材の他端と結合し、上部に別体の支柱を連結可能とした、縦材と、
前記縦材において前記横材との結合位置よりも下方に離れた位置から、前記横材の一端側へと延び、前記斜材の他端を回動自在に連結する、連結具と、
を少なくとも有することを特徴とする、
足場用ブラケット。
【請求項２】
前記縦材に、前記連結具から下方に延びる延出部を設けてあることを特徴とする、
請求項１に記載の足場用ブラケット。
【請求項３】
前記支柱と斜材との係止機構を、水平方向に打ち込むくさびで構成したことを特徴とする、請求項１または２に記載の足場用ブラケット。
【請求項４】
前記支柱と斜材との係止機構が、前記支柱に設けた鍔部と、前記斜材に設けた係止具とからなり、
前記係止具が、
平面視Ｕ字形状を呈して支柱を挟むように収容し、側壁にそれぞれ開口を設けた、支柱収容部と、
前記開口に差し込み可能であるとともに、差し込み方向に延びる長穴を設けた、くさびと、
支柱収容部の一側面に設け、前記くさびの長穴に挿通する軸部を設けたくさび保持具と、
を少なくとも含んだことを特徴とする、
請求項３に記載の足場用ブラケット。
【請求項５】
前記支柱と横材との係止機構を、上方から打ち込むくさびで構成したことを特徴とする、請求項３または４に記載の足場用ブラケット。
【発明の詳細な説明】
【技術分野】
【０００１】
本発明は、仮設足場の拡幅または狭幅を行うために、架設足場の支柱に取付可能な足場用ブラケットに関する。
【背景技術】
【０００２】
仮設足場の支柱に取り付ける足場用ブラケットは、大きく２種類に分かれる。
一つは、取り付ける箇所の足場面積を拡幅または狭幅するためだけの足場用ブラケットである（スポット型）。
もう一つは、取り付ける箇所の足場面積を拡幅または狭幅しつつ、これらの拡幅または狭幅領域を上方へと連続させるための足場用ブラケットである（連続型）。この連続型の足場ブラケットには、上方に別途支柱を取り付けるための機構を備えている。
【０００３】
前記した連続型の足場用ブラケットとしては、以下の特許文献１に記載の足場用ブラケットがある。
この足場用ブラケットは、支柱から水平方向に延びる支持アーム（１１）と、支持アームの先端に一体結合される耐力軸体（１２）と、を備え、耐力軸体に、拡幅用の支柱を取り付けるための支持軸部（１４）と、該支持軸部から斜めに延びる傾斜軸部（１５）とを有している。
【先行技術文献】
【特許文献】
【０００４】
【特許文献１】特許第５４７０３２５号公報
【発明の概要】
【発明が解決しようとする課題】
【０００５】
しかし、従来の足場用ブラケットでは、以下に記載する問題のうち、少なくとも何れか１つの問題を奏する。
（１）部分的な交換ができない。
連続型の足場用ブラケットは、設置した箇所より上の足場の作業荷重と足場部材荷重を負担することになるため、スポット型よりも大きな荷重に耐えなければならず、耐力軸体（１２）が重要な役割を担うこととなる。
したがって、耐力軸体（１２）に、凹み、曲がり、亀裂または腐食などが生じた場合には、直ちに耐力軸体を交換する必要がある。
しかし、前記耐力軸体（１２）は、支持アーム（１１）に一体結合されているため、部分的な交換が難しく、全損扱いとして新たな足場用ブラケットへと一式交換しなければならなかった。
（２）取扱性に改善の余地がある。
支持アーム（１１）と、耐力軸体（１２）とが一定の鋭角を形成するように一体結合されているため、作業員による持ち運び時や、運搬車両への積み込み時などに嵩張ることがある。よってより取扱性に優れる足場用ブラケットの提供へのニーズがある。
【０００６】
よって、本発明は、部分的な交換が可能となる足場用ブラケットを提供することを、少なくとも目的の一つとする。
【課題を解決するための手段】
【０００７】
上記課題を解決すべくなされた本願の第１発明は、仮設足場の拡幅または狭幅を行うために、架設足場の支柱に取付可能な足場用ブラケットであって、前記支柱との係止機構を一端に備えた、横材と、前記支柱との係止機構を一端に備えた、斜材と、前記横材の他端と前記斜材の他端とを直接的または間接的に脱着自在に構成した、脱着手段と、を少なくとも有し、前記脱着手段が、前記横材の他端と結合し、上部に別体の支柱を連結可能とした、縦材と、前記縦材において前記横材との結合位置よりも下方に離れた位置から、前記横材の一端側へと延び、前記斜材の他端を回動自在に連結する、連結具と、を少なくとも有することを特徴とする。
また、本願の第２発明は、前記第１発明において、前記縦材に、前記連結具から下方に延びる延出部を設けてあることを特徴とする。
また、本願の第３発明は、前記第１または第２発明において、前記支柱と斜材との係止機構を、水平方向に打ち込むくさびで構成したことを特徴とする。
また、本願の第４発明は、前記第３発明において、前記支柱と斜材との係止機構が、前記支柱に設けた鍔部と、前記斜材に設けた係止具とからなり、前記係止具が、平面視Ｕ字形状を呈して支柱を挟むように収容し、側壁にそれぞれ開口を設けた、支柱収容部と、前記開口に差し込み可能であるとともに、差し込み方向に延びる長穴を設けた、くさびと、支柱収容部の一側面に設け、前記くさびの長穴に挿通する軸部を設けたくさび保持具と、を少なくとも含んだことを特徴とする。
また、本願の第５発明は、前記第３または第４発明において、前記支柱と横材との係止機構を、上方から打ち込むくさびで構成したことを特徴とする。
【発明の効果】
【０００８】
本発明によれば、以下に記載する効果のうち、少なくとも何れか１つの効果を奏する。
（１）斜材単独の交換が可能である。
荷重支持に重要な役割を有する斜材部分が、脱着自在に連結されているため、斜材自身の凹み、亀裂、腐食などが起こった場合に、斜材のみを交換することで対応が可能である。よって、足場用ブラケットを全損扱いで処理する必要がなく、より低コストでの足場供給が可能となる。
（２）全体の取扱性が向上する。
斜材と連結具とをピン連結することにより、非使用時には斜材を横材側に畳むことができる。よって、作業員による持ち運びや、運搬車両への積み込み時などに、ブラケットが嵩張ることがなく、取扱性が向上する。
【図面の簡単な説明】
【０００９】
【図１】実施例１に係る足場用ブラケットの概略正面図。
【図２】横材の係止具を示す概略正面図。
【図３】支柱側の鍔部を示す概略平面図。
【図４】脱着手段の一例を示す概略正面図。
【図５】斜材の係止具を示す概略斜視図。
【図６】その他の実施例に係る脱着手段の構成を示す概略正面図。
【発明を実施するための形態】
【００１０】
以下、図面を参照しながら、本発明に係る実施形態について説明する。
【実施例１】
【００１１】
＜１＞全体構成。
図１は、本実施例に係る足場用ブラケットの概略正面図である。
図１に示すように、本発明に係る足場用ブラケットは、仮設足場の支柱Ｘとの係止機構を一端に備えた、横材Ａと、前記支柱Ａとの係止機構を一端に備えた、斜材Ｃと、前記横材Ａの他端と前記斜材Ｃの他端とを直接的または間接的に脱着自在に構成した、脱着手段Ｂと、を少なくとも有してなる。
以下、各構成部材の詳細について説明する。
【００１２】
＜２＞横材。
横材Ａは、仮設足場の支柱Ｘに取り付けて、仮設足場の拡幅部分または狭幅部分に新たに設ける足場板の支持体となる部材である。
横材Ａは、鋼管などの金属管で形成することができる。
【００１３】
＜２．１＞横材の一端側（支柱側）。
横材Ａの一端には、支柱との係止機構を備える。
図１では、横材Ａの左側の端部に、支柱Ｘに設けた鍔部Ｙに対して係止可能な係止具１０によって構成している。
以下、係止具の一例について説明する。
【００１４】
＜２．２＞係止具。
図２は、横材に設けた係止具を示す概略正面図である。
図２に係る係止具１０は、上方から打ち込み可能なくさび１１と、内部にくさび１１を収容可能な収容部１２と、くさび１１の上下動に連動して左右に移動するように収容部１２内に取り付けてある可動爪１３と、を少なくとも有してなる。
以下、各構成要素の詳細について説明する。
【００１５】
＜２．２．１＞くさび。
くさび１１は、収容部１２内を上下に移動可能な部材であり、種々の形状を採用することができる。
くさび１１の先端には、収容部１２への挿通後にネジを取り付けるなどした凸部１１１を設けて、くさび１１が収容部１２から外れない構造とすることができる。
【００１６】
＜２．２．２＞収容部。
収容部１２は、くさび１１を上下に移動自在とするための収容空間を内部に形成してある部材であり、種々の形状を採用することができる。
【００１７】
＜２．２．３＞可動爪。
可動爪１３は、くさびを打ち込んだあとに、係止具の鍔部からの抜け出しを防止するための部材である。
可動爪１３の形状は、収容空間１２内で、くさび１１の外縁を摺動する形状としておき、くさび１１の頭部が打ち込まれて下へ移動する動きに追随して収容部１２から可動爪１３が飛び出す方向に移動するように構成しておく。
【００１８】
＜２．３＞鍔部。
図３は、支柱に設ける鍔部の概略平面図である。
鍔部Ｙは、中央に支柱を差し込むための貫通孔Ｙ１と、前記貫通孔Ｙ１の周囲において、上下左右に設けた４箇所の挿入孔Ｙ２を設けてある。
また、各挿入孔Ｙ２の外側には、鍔部Ｙの上面から下方に段差を設けた段差面Ｙ３を設けておくこともできる。
この段差面Ｙ３は、前記収容部１２の底面に前記段差面Ｙ３と対応する凸面を別途設けることで更なる位置決め効果を発揮することができるが、本発明において必須の要素では無い。
【００１９】
なお、鍔部Ｙの形状は、種々の形状を採用することができ、本実施例に示す形状・構造に限定されるものではない。
【００２０】
＜２．４＞係止具と鍔部との係止動作。
横材Ａと支柱Ｘとを連結するには、まず鍔部Ｙの挿入孔Ｙ２へと前記係止具１０を差し込む。
次に、係止具１０のくさび１１を上から打ち込むことによって、収容部１２の外形と挿入孔Ｙ２の外径との差によるくさび留めと、移動した可動爪１３が挿入孔Ｙ２へのフックとなることにより、横材Ａを支柱に係止することができる。
【００２１】
＜３＞脱着手段。
脱着手段Ｂは、前記横材Ａの他端と前記斜材Ｃの他端とを直接的または間接的に脱着自在とするための部材である。
脱着手段Ｂは、種々の構造を採用することができるが、一例を以下に示す。
【００２２】
＜３．１＞脱着手段の構成。
図４は、脱着手段の一例を示す部分拡大図である。
脱着手段Ｂは、前記横材Ａの他端と結合し、上部に別体の支柱を連結可能とした、縦材２０と、前記縦材２０と前記横材Ａとの結合位置よりも下方から、前記横材Ａの一端側へと延び、前記斜材Ｃの他端を回動自在に連結する、連結具３０とで構成している。
【００２３】
＜３．２＞縦材。
縦材２０は、横材Ａの他端と結合するための部材である。
縦材２０は、横材Ａの他端を溶接等で接合する。
縦材２０の上部には、拡幅または狭幅用の新たな支柱を差し込むための支持材４０を設けてある。
【００２４】
＜３．３＞連結具。
連結具３０は、斜材Ｃの他端を脱着自在に連結するための部材である。
連結具３０の一端は、縦材２０を挟んだプレートを貫通してなる溶接部３１を用いて接合されている。
連結具３０の他端側では、斜材Ｃの他端を、ボルト３２およびナット３３などの公知構造を用いたピン連結でもって回動自在に取り付けてある。
このボルト３２およびナット３３は、大きな荷重を支持する必要があるため、当該荷重に耐えられるものを使用することが好ましい。
【００２５】
＜３．４＞取扱例。
足場用ブラケットの積載時や運搬時には、斜材Ｃを横材Ａ側に畳んでおくことによって、取扱性が向上する。
また、斜材Ｃの破損時などには、前記したピン連結を解除することによって、連結具３０から斜材Ｃを容易に脱着することができる。よって、斜材Ｃのみを交換するだけで足場用ブラケットの補修が可能となる。
【００２６】
＜４＞斜材。
斜材Ｃは、横材Ａの他端側と支柱Ｘとの間を、横材Ａと異なる角度で連結するための部材である。以下、斜材Ｃの詳細について説明する。
【００２７】
＜４．１＞斜材の一端側（支柱側）。
斜材Ｃの一端側は、支柱Ｘとの取付時に、支柱Ｘの軸方向と略並行な軸方向を呈するよう、斜材Ｃの主要部である傾斜部６０を折り曲げてなる折曲部７０を設けておくことが好ましい。
そして、斜材Ｃの一端側の先端には、支柱Ｘとの係止機構を備える。
本実施例では、前記係止機構を、支柱Ｘに設けた鍔部Ｙに対して係止可能な係止具８０によって構成している。
以下、係止具の一例について説明する。
【００２８】
＜４．２＞係止具。
図５は、斜材に設けた係止具の部分の概略斜視図である。
図５に係る係止具８０は、斜材Ｃの一端側を収容する斜材収容部８１と、支柱Ｘを収容する支柱収容部８２と、支柱収容部８２の一側に設けるくさび保持具８３と、前記支柱収容部８２に差し込み可能なくさび８４と、を少なくとも有してなる。以下、各構成要素の詳細について説明する。
【００２９】
＜４．２．１＞斜材収容部。
斜材収容部８１は、平面して略コ字状の部材からなり、略コ字状を構成する中間壁８１１と両側壁８１２で囲まれた部分に、前記斜材Ｃの折曲部７０を収容し、前記折曲部７０を含むように、斜材収容部８１の側壁８１２間をボルト等で締結して、斜材Ｃを固定する。
その他、図４で図示しないが、斜材収容部８１の底部には、前記鍔部Ｙの挿入孔Ｙ２や、段差面Ｙ３に対応する凸部などを設けておくことが好ましい
【００３０】
＜４．２．２＞支柱収容部。
支柱収容部８２は、平面して略Ｕ字状の部材からなり、該Ｕ字状部材の解放側と対向する箇所を、前記斜材収容部８１の中間壁８１１と接合するよう構成した部材である。
この略Ｕ字状の解放側から支柱Ｘを導入し、支柱収容部８２の側壁で挟むように支柱Ｘを収容することができる。
支柱収容部８２の側壁には、くさび８４を挿入するための開口８２１を設けておく。
【００３１】
＜４．２．３＞くさび保持具。
くさび保持具８３は、くさび８４の脱落を防止するための部材である。
くさび保持具８３は、支柱収容部８２の一方の側壁の表面に設け、前記開口８２１に差し込むためのくさび８４を保持するよう構成する。
くさび保持具８３は、正面視して逆Ｕ字状の部材であって、該逆Ｕ字状部材の対向面間を繋ぐように軸部８３１を設けてある。軸部８３１は、脱着自在なボルト等の公知構造で形成することができる。
【００３２】
＜４．２．４＞くさび。
くさび８４は、前記支柱収容部８２に収容した支柱を留め置くための部材である。
くさび８４は、平面視して先端が徐々に細くなるようテーパを設けると共に、正面視して略コ字状の形状を備えている。
くさび８４の略コ字状の部材を構成する中間部分に相当する中間面８４１には、前記した軸部８３１を挿通するための長穴８４２を設けておく。
この長穴８４２内を、軸部８３１が摺動することで、くさび８４を開口８２１に差し込み自在とし、かつ開口８２１から抜いたくさび８４が、くさび保持具８３から外れない状態とすることができる。
また、くさび８４の差し込み後には、くさび８４の中間面８４１が支柱Ｘの軸方向に一定長さをもって支柱Ｘを支持することとなり、より確実に支柱Ｘを位置決めすることができる。
【００３３】
＜４．３＞斜材の他端側（連結具側）。
斜材Ｃの他端側は、前記したとおり、連結具３０と脱着自在に連結されており、詳細な説明は省略する。
【００３４】
＜４．４＞係止具と鍔部との係止動作。
斜材Ｃと支柱Ｘとを連結するには、まず支柱収容部８２内に支柱Ｘを収めつつ、鍔部Ｙに係止具８０を載せる。
その後、開口８２１に、くさび８４を横から打ち込む。
そして、くさび８４と開口８２１との外形差によるくさび留めによって、斜材Ｃを支柱Ｘに係止することができる。
【００３５】
＜５＞本実施例の足場用ブラケットで得られる作用・効果。
本実施例に係る足場用ブラケットによれば、前記した効果だけでなく、さらに以下の作用効果を得ることもできる。
（１）斜材Ｃが横材Ａに対して回動自在に連結されているため、斜材Ｃの係止具８０を支柱Ｘに取り付ける際の位置合わせが容易となる。
（２）横材Ａの係止機構を上から打ち込むくさびとし、斜材Ｃの係止機構を横から打ち込むくさびとしたため、ブラケットのあらゆる方向への移動に対して、より高い位置決め効果を発揮することができる。
（３）足場用ブラケットの取付作業は、まず横材Ａを支柱Ｘに係止してから、斜材Ｃを支柱Ｘに係止する手順が一般的であるため、斜材Ｃ側の係止機構を横から打ち込むくさびとすると、上から打ち込むくさびと比べて、係止具８０が鍔部Ｙに干渉して取付を阻害することがなく、取付作業がよりスムーズとなる。
【実施例２】
【００３６】
［脱着手段の別実施例］
本発明に係る脱着手段の別実施例について図６を参照しながら説明する。
本発明に係る脱着手段は、横材の他端に、傾斜させて取り付けた筒部３４で構成することもできる。
この筒部３４に、斜材の他端を差し込むことで横材に対し、斜材を脱着自在に構成することができる。
筒部３４に差し込んだ斜材Ｃは、別途ボルトナットなどで固定してもよいし、斜材の外径を筒部の内径よりも大きくする等して、簡単に外れないよう構成とすることが望ましい。
【符号の説明】
【００３７】
Ａ：横材
Ｂ：脱着手段
Ｃ：斜材
Ｘ：支柱
Ｙ：鍔部
Ｙ１：貫通孔
Ｙ２：挿入孔
Ｙ３：段差面
１０：係止具
１１：くさび
１１１：凸部
１２：収容部
１３：可動爪
２０：縦材
３０：連結具
３１：溶接部
３２：ボルト
３３：ナット
３４：筒部
４０：支持材
５０：鍔部
６０：傾斜部
７０：折曲部
８０：係止具
８１：斜材収容部
８１１：中間壁
８１２：側壁
８２：支柱収容部
８２１：開口
８３：くさび保持具
８３１：軸部
８４：くさび
８４１：中間面
８４２：長穴
【図１】
0006308970.tif 000002
【図２】
0006308970.tif 000003
【図３】
0006308970.tif 000004
【図４】
0006308970.tif 000005
【図５】
0006308970.tif 000006
【図６】
0006308970.tif 000007